(57)【要約】【課題】顧客に有意義な広告を最適な時期に提供すること。【解決手段】ストアコントローラ３は、キャッシュレジスタ７から顧客が購買した商品に関する会計情報を受信し、会計情報から画像検索情報を生成して広告検索サーバ２に送信する。広告検索サーバ２は、ストアコントローラ３から送信されてきた画像検索情報を用いて広告ＩＤ画像を検索し、ストアコントローラ３に送信する。ストアコントローラ３はフィルタリング後の広告ＩＤ画像をキャッシュレジスタ７に送信し、キャッシュレジスタ７は、これをレシート４に印刷する。携帯電話５でレシート４の広告ＩＤ画像を撮影すると、携帯電話５は、撮影画像を広告検索サーバ２に送信し、広告検索サーバ２は、この撮影画像に対応づけられているＵＲＬを携帯電話５に送信する。携帯電話５は、これを用いて広告コンテンツサーバ６の広告ウェブサイトに接続する。【選択図】図３
2008059512.tif 000002
【特許請求の範囲】
【請求項１】
店舗端末から、当該店舗で決済した商品の商品情報を受信する商品情報受信手段と、
ＩＤ情報を規定したＩＤ画像を記憶するＩＤ画像記憶手段と、
商品情報とＩＤ画像との対応関係を記憶した対応記憶手段と、
前記記憶した対応関係を用いて、前記受信した商品情報に対応するＩＤ画像を前記記憶したＩＤ画像から検索するＩＤ画像検索手段と、
前記検索したＩＤ画像を前記店舗端末に送信するＩＤ画像送信手段と、
を具備したことを特徴とするＩＤ画像提供装置。
【請求項２】
前記ＩＤ情報は、周波数領域にてＩＤ情報を規定していることを特徴とする請求項１に記載のＩＤ画像提供装置。
【請求項３】
前記ＩＤ画像は、周波数領域にて規定されたＩＤパターンを逆フーリエ変換して得られた画像であることを特徴とする請求項２に記載のＩＤ画像提供装置。
【請求項４】
前記ＩＤ画像には電子透かしにて前記ＩＤ情報が埋め込まれていることを特徴とする請求項１に記載のＩＤ画像提供装置。
【請求項５】
前記ＩＤ画像の一部の領域には、表記情報が配置されていることを特徴とする請求項１から請求項４までのうちの何れか１の請求項に記載のＩＤ画像提供装置。
【請求項６】
前記ＩＤ画像送信手段は、複数の前記ＩＤ画像を前記店舗端末に送信することを特徴とする請求項１から請求項５までのうちの何れか１の請求項に記載のＩＤ画像提供装置。
【請求項７】
前記ＩＤ画像には、前記店舗端末が当該ＩＤ画像を印刷するか否かを判断するための属性情報が付随していることを特徴とする請求項１から請求項６までのうちの何れか１の請求項に記載のＩＤ画像提供装置。
【請求項８】
前記店舗端末で印刷するか否かを判断するためのＩＤ画像の属性情報を登録したリストを記憶する属性リスト記憶手段を具備し、
前記ＩＤ画像送信手段は、前記検索したＩＤ画像のうち、前記属性リストを用いて印刷すると判断したものを送信することを特徴とする請求項７に記載のＩＤ画像提供装置。
【請求項９】
店舗で決済した商品の商品情報を請求項１から請求項８までのうちの何れか１の請求項に記載のＩＤ画像提供装置に送信する商品情報送信手段と、
前記送信した商品情報に対するＩＤ画像を前記ＩＤ画像提供装置から受信するＩＤ画像受信手段と、
前記受信したＩＤ画像を印刷媒体に印刷する印刷手段と、
を具備したことを特徴とする店舗端末。
【請求項１０】
前記ＩＤ画像受信手段で複数個のＩＤ画像を受信した場合、前記印刷手段は、前記受信したＩＤ画像のそれぞれを前記印刷媒体の別領域に印刷することを特徴とする請求項９に記載の店舗端末。
【請求項１１】
前記受信したＩＤ画像には、前記印刷手段で印刷するか否かを判断するための属性情報が付随しており、
前記属性情報を用いて前記ＩＤ画像を印刷するか否かを判断する判断手段を具備し、
前記印刷手段は、前記判断手段で印刷すると判断された場合に前記ＩＤ画像を印刷することを特徴とする請求項９、又は請求項１０に記載の店舗端末。
【請求項１２】
ＩＤ情報と所定のウェブサイトへの接続情報を対応づけた接続情報記憶手段と、
ユーザ端末からＩＤ情報を取得するＩＤ情報取得手段と、
前記接続情報記憶手段で、前記取得したＩＤ情報に対応づけられた接続情報を検索する接続情報検索手段と、
前記検索した接続情報を前記ユーザ端末に送信する接続情報送信手段と、
を具備したことを特徴とする接続情報提供装置。
【請求項１３】
ＩＤ画像を受信するＩＤ画像受信手段と、
前記受信したＩＤ画像を周波数領域に変換する変換手段と、
を具備し、
前記ＩＤ情報取得手段は、前記変換したＩＤ画像からＩＤ情報を取得することを特徴とする請求項１２に記載の接続情報提供装置。
【請求項１４】
ＩＤ情報を規定したＩＤ画像を記憶するＩＤ画像記憶手段と、商品情報とＩＤ画像との対応関係を記憶した対応記憶手段と、商品情報受信手段と、ＩＤ画像検索手段と、ＩＤ画像送信手段と、を備えたコンピュータにおいて、
前記商品情報受信手段によって、店舗端末から、当該店舗で決済した商品の商品情報を受信する商品情報受信ステップと、
前記ＩＤ画像検索手段によって、前記記憶した対応関係を用いて、前記受信した商品情報に対応するＩＤ画像を前記記憶したＩＤ画像から検索するＩＤ画像検索ステップと、
前記ＩＤ画像送信手段によって、前記検索したＩＤ画像を前記店舗端末に送信するＩＤ画像送信ステップと、
から構成されたことを特徴とするＩＤ画像提供方法。
【請求項１５】
商品情報送信手段と、ＩＤ画像受信手段と、印刷手段とを備えた店舗端末において、
前記商品情報送信手段によって、店舗で決済した商品の商品情報を請求項１から請求項６までのうちの何れか１の請求項に記載のＩＤ画像提供装置に送信する商品情報送信ステップと、
前記ＩＤ画像受信手段によって、前記送信した商品情報に対するＩＤ画像を前記ＩＤ画像提供装置から受信するＩＤ画像受信ステップと、
前記印刷手段によって、前記受信したＩＤ画像を印刷媒体に印刷する印刷ステップと、
から構成されたことを特徴とする印刷方法。
【請求項１６】
ＩＤ情報と所定のウェブサイトへの接続情報を対応づけた接続情報記憶手段と、ＩＤ情報取得手段と、接続情報検索手段と、接続情報送信手段と、を備えたコンピュータにおいて、
前記ＩＤ情報取得手段によって、ユーザ端末からＩＤ情報を取得するＩＤ情報取得ステップと、
前記接続情報検索手段によって、前記接続情報記憶手段で、前記取得したＩＤ情報に対応づけられた接続情報を検索する接続情報検索ステップと、
前記接続情報送信手段によって、前記検索した接続情報を前記ユーザ端末に送信する接続情報送信ステップと、
から構成されたことを特徴とする接続情報提供方法。
【発明の詳細な説明】
【技術分野】
【０００１】
本発明は、ＩＤ画像提供装置、店舗端末、接続情報提供装置、ＩＤ画像提供方法、印刷方法、及び接続情報提供方法に関し、例えば、レシートに広告情報を印刷するものに関する。
【背景技術】
【０００２】
店舗では、会計処理の際にキャッシュレジスタでレシートを発行する。
レシートには、決済内容、店舗のロゴや住所・電話番号、会計日時なども印刷され、顧客の便宜を図っている。
また、レシートの余白や裏面に広告を印刷することも行われており、限られたスペースにできるだけ多くの情報を盛り込むための努力がなされている。
このように、レシートに広告を盛り込む技術として、次のものがある。
【０００３】
【特許文献１】特開２００６−６７４８２公報
【０００４】
この技術は、レシートに広告ウェブサイトへ接続するためのＵＲＬ（Ｕｎｉｆｏｒｍ  Ｒｅｓｏｕｒｃｅ  Ｌｏｃａｔｏｒｓ）を電子透かしによって埋め込むものである。
そして、携帯電話でこの電子透かしを撮影すると、携帯電話を広告ウェブサイトに自動的に接続することができる。
このように、レシートとネットワークの連携を図ることにより、レシートの広告スペースに制約されない広告活動を行うことができる。
【発明の開示】
【発明が解決しようとする課題】
【０００５】
しかし、接続先の広告ウェブサイトは、顧客に関わらず画一的であったり、又は、店舗側の都合により選択したものであった。
このため、必ずしも顧客にとって有意義な広告が最適な時期に確実に提供されているとはいえなかった。
【０００６】
そこで、本発明の目的は、顧客に有意義な広告を最適な時期に提供することである。
【課題を解決するための手段】
【０００７】
本発明は、前記目的を達成するために、店舗端末から、当該店舗で決済した商品の商品情報を受信する商品情報受信手段と、ＩＤ情報を規定したＩＤ画像を記憶するＩＤ画像記憶手段と、商品情報とＩＤ画像との対応関係を記憶した対応記憶手段と、前記記憶した対応関係を用いて、前記受信した商品情報に対応するＩＤ画像を前記記憶したＩＤ画像から検索するＩＤ画像検索手段と、前記検索したＩＤ画像を前記店舗端末に送信するＩＤ画像送信手段と、を具備したことを特徴とするＩＤ画像提供装置を提供する（第１の構成）。
第１の構成において、前記ＩＤ情報は、周波数領域にてＩＤ情報を規定しているように構成することもできる（第２の構成）。
第２の構成において、前記ＩＤ画像は、周波数領域にて規定されたＩＤパターンを逆フーリエ変換して得られた画像であるように構成することもできる（第３の構成）。
第１の構成において、前記ＩＤ画像には電子透かしにて前記ＩＤ情報が埋め込まれているように構成することもできる（第４の構成）。
第１の構成から第４の構成までのうちの何れか１の構成において、前記ＩＤ画像の一部の領域には、表記情報が配置されているように構成することもできる（第５の構成）。
第１の構成から第５の構成までのうちの何れか１の構成において、前記ＩＤ画像送信手段は、複数の前記ＩＤ画像を前記店舗端末に送信するように構成することもできる（第６の構成）。
第１の構成から第６の構成までのうちの何れか１の構成において、前記ＩＤ画像には、前記店舗端末が当該ＩＤ画像を印刷するか否かを判断するための属性情報が付随しているように構成することもできる（第７の構成）。
第７の構成において、前記店舗端末で印刷するか否かを判断するためのＩＤ画像の属性情報を登録したリストを記憶する属性リスト記憶手段を具備し、前記ＩＤ画像送信手段は、前記検索したＩＤ画像のうち、前記属性リストを用いて印刷すると判断したものを送信するように構成することもできる（第８の構成）。
また、本発明は、店舗で決済した商品の商品情報を第１の構成から第８の構成までのうちの何れか１の構成のＩＤ画像提供装置に送信する商品情報送信手段と、前記送信した商品情報に対するＩＤ画像を前記ＩＤ画像提供装置から受信するＩＤ画像受信手段と、前記受信したＩＤ画像を印刷媒体に印刷する印刷手段と、を具備したことを特徴とする店舗端末を提供する（第９の構成）。
第９の構成において、前記ＩＤ画像受信手段で複数個のＩＤ画像を受信した場合、前記印刷手段は、前記受信したＩＤ画像のそれぞれを前記印刷媒体の別領域に印刷するように構成することもできる（第１０の構成）。
第９の構成、又は第１０の構成において、前記受信したＩＤ画像には、前記印刷手段で印刷するか否かを判断するための属性情報が付随しており、前記属性情報を用いて前記ＩＤ画像を印刷するか否かを判断する判断手段を具備し、前記印刷手段は、前記判断手段で印刷すると判断された場合に前記ＩＤ画像を印刷するように構成することもできる（第１１の構成）。
また、本発明は、ＩＤ情報と所定のウェブサイトへの接続情報を対応づけた接続情報記憶手段と、ユーザ端末からＩＤ情報を取得するＩＤ情報取得手段と、前記接続情報記憶手段で、前記取得したＩＤ情報に対応づけられた接続情報を検索する接続情報検索手段と、前記検索した接続情報を前記ユーザ端末に送信する接続情報送信手段と、を具備したことを特徴とする接続情報提供装置を提供する（第１２の構成）。
第１２の構成において、ＩＤ画像を受信するＩＤ画像受信手段と、前記受信したＩＤ画像を周波数領域に変換する変換手段と、を具備し、前記ＩＤ情報取得手段は、前記変換したＩＤ画像からＩＤ情報を取得するように構成することもできる（第１３の構成）。
また、本発明は、ＩＤ情報を規定したＩＤ画像を記憶するＩＤ画像記憶手段と、商品情報とＩＤ画像との対応関係を記憶した対応記憶手段と、商品情報受信手段と、ＩＤ画像検索手段と、ＩＤ画像送信手段と、を備えたコンピュータにおいて、前記商品情報受信手段によって、店舗端末から、当該店舗で決済した商品の商品情報を受信する商品情報受信ステップと、前記ＩＤ画像検索手段によって、前記記憶した対応関係を用いて、前記受信した商品情報に対応するＩＤ画像を前記記憶したＩＤ画像から検索するＩＤ画像検索ステップと、前記ＩＤ画像送信手段によって、前記検索したＩＤ画像を前記店舗端末に送信するＩＤ画像送信ステップと、から構成されたことを特徴とするＩＤ画像提供方法を提供する（第１４の構成）。
また、本発明は、商品情報送信手段と、ＩＤ画像受信手段と、印刷手段とを備えた店舗端末において、前記商品情報送信手段によって、店舗で決済した商品の商品情報を請求項１から請求項６までのうちの何れか１の請求項に記載のＩＤ画像提供装置に送信する商品情報送信ステップと、前記ＩＤ画像受信手段によって、前記送信した商品情報に対するＩＤ画像を前記ＩＤ画像提供装置から受信するＩＤ画像受信ステップと、前記印刷手段によって、前記受信したＩＤ画像を印刷媒体に印刷する印刷ステップと、から構成されたことを特徴とする印刷方法を提供する（第１５の構成）。
また、本発明は、ＩＤ情報と所定のウェブサイトへの接続情報を対応づけた接続情報記憶手段と、ＩＤ情報取得手段と、接続情報検索手段と、接続情報送信手段と、を備えたコンピュータにおいて、前記ＩＤ情報取得手段によって、ユーザ端末からＩＤ情報を取得するＩＤ情報取得ステップと、前記接続情報検索手段によって、前記接続情報記憶手段で、前記取得したＩＤ情報に対応づけられた接続情報を検索する接続情報検索ステップと、前記接続情報送信手段によって、前記検索した接続情報を前記ユーザ端末に送信する接続情報送信ステップと、から構成されたことを特徴とする接続情報提供方法を提供する（第１６の構成）。
【発明の効果】
【０００８】
本発明によれば、決済時に得られる情報を用いて顧客に有意義な広告を最適な時期に提供することができる。
【発明を実施するための最良の形態】
【０００９】
（１）実施の形態の概要
ストアコントローラ３は、キャッシュレジスタ７で会計処理が行われると、キャッシュレジスタ７から顧客が購買した商品に関する会計情報を受信する。
そして、ストアコントローラ３は、会計情報から画像検索情報を生成して広告検索サーバ２に送信する。画像検索情報には、例えば、商品コード、当該商品に対して設定されているキーワード、商品の分類など、顧客が購入した商品の属性に関する情報が含まれている。
【００１０】
広告検索サーバ２は、広告ＩＤ画像を蓄積しており、ストアコントローラ３から送信されてきた画像検索情報を用いて広告ＩＤ画像を検索し、ストアコントローラ３に送信する。広告ＩＤ画像は、広告主が提供する広告ウェブサイトのＵＲＬに対応づけられている。
ストアコントローラ３は、広告ＩＤ画像を受信すると、フィルタ情報を用いてこれをフィルタリングし、競合他社の広告ＩＤ画像などを排除する。
ストアコントローラ３は、フィルタリング後の広告ＩＤ画像をキャッシュレジスタ７に送信し、キャッシュレジスタ７は、これをレシート４に印刷する。
【００１１】
顧客が携帯電話５でレシート４の広告ＩＤ画像を撮影すると、携帯電話５は、撮影画像を広告検索サーバ２に送信し、広告検索サーバ２は、この撮影画像に対応づけられているＵＲＬを携帯電話５に送信する。
携帯電話５は、広告検索サーバ２からＵＲＬを受信すると、これを用いて広告コンテンツサーバ６の広告ウェブサイトに接続する。
広告コンテンツサーバ６は、ＵＲＬに対応づけて各広告主の広告コンテンツを管理しており、携帯電話５が送信してきたＵＲＬに対応する広告コンテンツを携帯電話５に提供する。
【００１２】
（２）実施の形態の詳細
まず、図１を用いて、広告ウェブサイトのＵＲＬと広告ＩＤ画像の対応関係について説明する。
まず、ＵＲＬと対応させたＩＤ情報であるＩＤパターン１０を周波数領域（周波数空間）にて定義する。
ＩＤパターン１０は、例えば、内周円と外周円の周上に点で構成されたＩＤパターン成分１６を分散させて構成されている。
垂直方向の軸と水平方向の軸の交点が低周波数側で、原点から離れるほど高周波数側となっている。
【００１３】
ＩＤパターン１０を逆フーリエ変換すると実空間でのＩＤ画像１１が得られる。ＩＤ画像１１は、画像全体にＩＤパターン成分１６が拡散した模様となる。
ＩＤ画像１１をフーリエ変換するとＩＤパターン１０が得られるため、ＩＤ画像１１は、ＩＤパターンを介してＵＲＬと対応づけられている。
【００１４】
ところで、ＩＤ画像１１は、ＩＤパターン１０を復元するための情報が画像全体に拡散しているため、圧縮や切り取りなどの加工に対して高い耐性を有している。
そこで、本実施の形態では、ＩＤ画像１１を２値化してキャッシュレジスタなどの小型印刷機に適したＩＤ画像１２とし、更に、広告内容を表す表記情報１４を上書きして、表記情報１４が視認できるようにＩＤ画像１２の濃淡を調節し、レシートに印刷する広告ＩＤ画像１３とする。
【００１５】
広告ＩＤ画像１３をフーリエ変換するとＩＤパターン１５が得られ、ＩＤパターン成分１６が復元される。
このため、ＩＤパターン成分１６を照合することによりＩＤパターン１５をＩＤパターン１０に対応させることができ、これによって、ＩＤパターン１５をＵＲＬに対応づけることができる。
以上のようにして、広告ＩＤ画像１３からＵＲＬを特定することができる。
【００１６】
なお、本実施の形態では、一例としてＩＤパターンを逆フーリエ変換してＩＤ画像を生成するが、これに限定するものではなく、画像に電子透かしにてＩＤ情報を埋め込んだものをＩＤ画像としてもよい。
電子透かしには、例えば、置換法や特徴量抽出技術を用いた方法などの公知技術を用いることができる。
なお、特徴量抽出技術とは、対象画像には何ら処理を行わず、その特徴をサーバに記憶させ、これをＩＤ情報として利用するものである。
対象画像を撮影した撮影画像の特徴量をサーバで記憶してある特徴量と対比することにより対象画像のＩＤ情報を特定することができる。
【００１７】
図２は、本実施の形態のキャッシュレジスタが印刷したレシートの一例を示した図である。
レシート４には、店舗名、決済日時、決済内容などの一般的な決済情報の他に、広告ＩＤ画像２０ａ、２０ｂ、２０ｃが印刷されており、各広告ＩＤ画像には、それぞれ表記情報２１ａ、２１ｂ、２１ｃが印刷されている。
以下、広告ＩＤ画像２０ａ〜２０ｃを特に区別しない場合は単に広告ＩＤ画像と記す。
本実施の形態では、レシート４に最大３つの広告ＩＤ画像を印刷するが、更に多くの広告ＩＤ画像を印刷することも可能である。
【００１８】
図２の例では、広告ＩＤ画像２０ａには、「新商品の案内初夏のビール」なる表記情報２１ａが印刷されており、ビール会社の広告ウェブサイトのＵＲＬに対応づけられたＩＤパターンが埋め込まれている。
広告ＩＤ画像２０ｂには、「缶コーヒーキャンペーン＞＞詳細はこちら」なる表記情報２１ｂが印刷されており、キャンペーン情報を照会する広告ウェブサイトのＵＲＬに対応づけられたＩＤパターンが埋め込まれている。
広告ＩＤ画像２０ｃには、「新宿お得なお店情報＞＞案内はこちら」なる表記情報２１ｃが印刷されており、地域商店街の広告ウェブサイトのＵＲＬに対応づけられたＩＤパターンが埋め込まれている。
【００１９】
図３は、本実施の形態の広告提供システム１のシステム構成を示したブロック図である。
広告提供システム１は、広告検索サーバ２、広告コンテンツサーバ６、ストアコントローラ３、キャッシュレジスタ７、レシート４、携帯電話５などから構成されている。
ストアコントローラ３とキャッシュレジスタ７は、例えば、スーパーマーケット、レストラン、コンビニエンスストアなどの店舗に設置されている。
【００２０】
キャッシュレジスタ７は、テンキーやその他の情報などを入力する入力装置、商品のバーコードを読み取るバーコード読取装置、会員カードなどから情報を読み取るカード読取装置、金銭を収納する金銭収納装置、レシートを印刷する印刷装置、各種情報を表示する表示装置などを備えており、店舗の会計場所に設置されている。図３では、キャッシュレジスタ７を１台のみ示してあるが、これは複数存在することができる。
【００２１】
キャッシュレジスタ７は、店舗の会計担当者の入力操作などにより会計情報を生成してストアコントローラ３に送信する。会計情報には、例えば、商品のバーコード情報、決済金額、顧客の性別、年齢層などの情報が含まれている。このうち、顧客の性別、年齢層は、会計担当者が顧客の外観から推察して入力したものである。
キャッシュレジスタ７は、会計情報をストアコントローラ３に送信した後、ストアコントローラ３から広告ＩＤ画像を受信し、これを決済内容と共にレシート４に印刷する。
【００２２】
ストアコントローラ３は、店舗の事務所などに設置されており、キャッシュレジスタ７や広告検索サーバ２などと通信を行う。
ストアコントローラ３は、キャッシュレジスタ７から会計情報を受信して、当該会計情報から広告ＩＤ画像を検索するための画像検索情報を生成し、広告検索サーバ２に送信する。
画像検索情報には、顧客が購入した商品の商品コード、当該商品に対して予め設定されているキーワード、当該商品の分類といった、当該商品の属性が含まれている。
【００２３】
ストアコントローラ３は、画像検索情報を広告検索サーバ２に送信した後、広告検索サーバ２から当該画像検索情報によって検索された広告ＩＤ画像を受信し、これを予め記憶しているフィルタ情報を用いてフィルタリングする。
広告画像には、広告主情報などの属性情報が付随しており、一方、フィルタ情報には、属性情報を用いてレシート４に印刷する広告ＩＤ画像を選別するための情報が設定されている。
このように、広告ＩＤ画像をフィルタリングすることにより、競合他社や競合他店舗などの広告ＩＤ画像をレシート４に印刷することを避けることができる。
また、ストアコントローラ３は、所謂ＰＯＳシステム（Ｐｏｉｎｔ  Ｏｆ  Ｓａｌｅｓ  Ｓｙｓｔｅｍ）の構成要素でもあり、図示しないホストコンピュータに会計情報を送信している。
【００２４】
広告検索サーバ２は、広告主から委託された広告ＩＤ画像や、広告主から指定された検索条件などを記憶している。
検索条件は、例えば、「商品コードが○○○」、「商品の大分類が食品」、「検索キーワードがさわやか」などと設定されており、画像検索情報に含まれる商品コード、分類情報、検索キーワードとマッチングできるようになっている。
広告検索サーバ２は、ストアコントローラ３から受信した画像検索情報を検索条件と照合して広告ＩＤ画像を検索し、検索された広告ＩＤ画像をストアコントローラ３に送信する。
本実施の形態では、一例として、広告検索サーバ２がストアコントローラ３に送信する広告ＩＤ画像は最大３個とするが、検索された広告ＩＤ画像が４個以上の場合、広告検索サーバ２は、何らかの方法でこれらを順位づけし、上位３個をストアコントローラ３に送信する。
【００２５】
また、広告検索サーバ２は、ＩＤパターンと広告ウェブサイトのＵＲＬとの対応を記憶している。
そして、広告検索サーバ２は、携帯電話５から広告ＩＤ画像の撮影画像を受信してフーリエ変換によりＩＤパターンを復元し、当該広告ＩＤ画像に対応するＵＲＬを携帯電話５に送信する。
なお、このＵＲＬの提供は、専用のＵＲＬサーバを設けてこれによって行ってもよい。
【００２６】
広告コンテンツサーバ６は、各広告ごとに設けた広告ウェブサイトにて広告コンテンツ（静止画、動画、音声などで構成）を提供している。
広告コンテンツサーバ６は、携帯電話５からアクセスを受けると、携帯電話５がアクセスに用いたＵＲＬに設定されている広告ウェブサイトに携帯電話５を接続する。
【００２７】
携帯電話５は、カメラ機能や広告ウェブサイトにアクセスする機能などを備えた携帯電話である。
携帯電話５には、広告ＩＤ画像を顧客に撮影させて撮影画像を生成し、これを広告検索サーバ２に送信する機能や、これに対して広告検索サーバ２から送信されてきたＵＲＬを用いて広告コンテンツサーバ６にアクセスする機能などを備えたアプリケーションがインストールされている。
なお、本実施の形態では、アプリケーションを携帯電話５に実装するが、これに限定するものではなく、例えば、ＰＤＡ（Ｐｅｒｓｏｎａｌ  Ｄｉｇｉｔａｌ  Ａｓｓｉｓｔａｎｔ）などの携帯端末や、パーソナルコンピュータなどの端末に実装することも可能である。
【００２８】
図３に括弧で示した番号は、広告提供システム１での情報処理手順を示しており、次のようになる。
（１）ストアコントローラ３は、キャッシュレジスタ７から会計情報を受信して画像検索情報を生成し、広告検索サーバ２に送信する。
（２）広告検索サーバ２は、画像検索情報を用いて広告ＩＤ画像を検索し、ストアコントローラ３に送信する。
（３）ストアコントローラ３は、広告ＩＤ画像をフィルタリングしてキャッシュレジスタ７に送信し、キャッシュレジスタ７は、この広告ＩＤ画像をレシート４に印刷する。
【００２９】
（４）顧客は、携帯電話５でアプリケーションを起動し、レシート４の広告ＩＤ画像を撮影する。
（５）携帯電話５は、広告ＩＤ画像の撮影画像を広告検索サーバ２に送信する。
（６）広告検索サーバ２は、撮影画像をフーリエ変換してＩＤパターンを復元し、これに対応するＵＲＬを携帯電話５に送信する。
（７）携帯電話５は、広告検索サーバ２からＵＲＬを受信して広告コンテンツサーバ６の広告ウェブサイトに接続する。
【００３０】
図４は、ストアコントローラ３のハードウェア的な構成の一例を示した図である。
ストアコントローラ３は、ＣＰＵ３１、ＲＯＭ３２、ＲＡＭ３５、通信制御部３３、記憶部３６などがバスラインで接続されて構成されている。
ＣＰＵ３１は、所定のプログラムに従って各種の情報処理を行う。本実施の形態では、広告検索サーバ２やキャッシュレジスタ７などとの通信処理や、会計情報からの画像検索情報生成処理、及び広告検索サーバ２から受信した広告ＩＤ画像のフィルタリング処理などを行う。
【００３１】
ＲＯＭ３２は、読み出し専用のメモリであり、ストアコントローラ３を動作させるための基本的なプログラムやパラメータなどが記憶されている。
ＲＡＭ３５は、読み書き可能なメモリであって、ＣＰＵ３１のワーキングメモリを提供したり、記憶部３６に記憶されたプログラムやデータをロードして記憶したりなどする。
通信制御部３３は、キャッシュレジスタ７や広告検索サーバ２などと通信を行うための制御部である。
【００３２】
記憶部３６は、例えばハードディスクなどの大容量の記憶装置を用いて構成されており、各種プログラムを格納したプログラム格納部３８、データを格納したデータ格納部３９などが形成されている。
プログラム格納部３８には、ストアコントローラ３を機能させるための基本的なプログラムであるＯＳや、会計情報から画像検索情報を生成するためのプログラム、広告検索サーバ２から送信されてきた広告ＩＤ画像をフィルタリングするためのプログラム、その他のプログラムが記憶されている。
【００３３】
データ格納部３９には、商品コードマスタ、商品分類コードマスタ、フィルタ情報などが記憶されている。以下、これらについて説明する。
図５（ａ）は、商品コードマスタの論理的な構成の一例を示した図である。
商品コードマスタは、各商品ごとの情報を記憶したテーブルであり、「バーコード」、「商品コード」、「分類コード」、「検索キーワード」、その他の項目から構成されている。
「バーコード」は、商品に印刷されているバーコード情報である。ストアコントローラ３は、キャッシュレジスタ７が商品から読み取ったバーコード情報を「バーコード」と照合することにより商品を特定することができる。
「商品コード」は、各商品に一意に付与されているコード情報である。
【００３４】
「分類コード」は、商品に設定されている分類情報であり、分類の内容は商品分類コードマスタで定義されている。
「検索キーワード」は、当該商品を検索するために設定されているキーワードであり、商品の機能、用途、広告情報、特徴などが文字にて記述されている。
例えば、商品がビールの場合、「キレとコク」、「のどごしさわやか」、「麦芽１００％」といった記述がなされる。
【００３５】
商品コードマスタには、これらの項目のほか、一般用、業務用などを区分する「商品区分」、商品の名称を規定した「商品名」、国産か輸入品かの別を規定した「入品フラグ」など、細かな設定がなされている。
ストアコントローラ３は、商品のバーコード情報から商品コードマスタ上で商品を特定し、当該商品の商品コード、分類コード、及び検索キーワードを用いて画像検索情報を生成する。
【００３６】
図５（ｂ）は、商品分類コードマスタの論理的な構成の一例を示した図である。
商品分類コードマスタは、「大分類」、「中分類」、「小分類」、「細分類」の各項目に区分されており、商品の分類情報を「大分類」から「細分類」に至る階層構造にて規定している。
「大分類」は、例えば、食品、日用品などの最上位の分類により構成されている。
「中分類」は、「大分類」を更に分類したものであり、例えば、食品に対しては、加工食品、生鮮食品、飲料・酒類、その他食品などの項目に分類されている。
【００３７】
「小分類」は、「中分類」を更に分類したものであり、図示しないが、例えば「中分類」が飲料・酒類である場合、「小分類」は、「清涼飲料」、「乳飲料」、「アルコール飲料」などとなる。
「細分類」は「小分類を」更に分類したものであり、図示しないが、例えば「小分類」が「乳飲料」である場合、「細分類」は、「牛乳」、「豆乳」、「乳酸飲料」などとなる。
各分類には、例えば、「大分類」の食品は１、「中分類」の生鮮食品は２などと番号が付与されており、大分類から細分類にかけて、１２・・・と番号を羅列した分類コードによって分類情報を表すことができる。
【００３８】
フィルタ情報は、広告ＩＤ画像に付随する属性情報を用いて広告ＩＤ画像をフィルタリングするための情報であり、例えば、レシート４への印刷を行わない広告ＩＤ画像の属性情報の一覧を規定している。
例えば、フィルタ情報にＡ社が登録されている場合、広告ＩＤ画像の属性情報で広告主がＡ社となっているものは、フィルタリングにより排除される。
逆に、印刷を許可する広告ＩＤ画像の属性情報をフィルタ情報に登録し、当該属性情報に合致する広告ＩＤ画像をフィルタリングにより通過させるように構成することもできる。
【００３９】
なお、本実施の形態では、フィルタ情報をストアコントローラ３に備えたが、広告検索サーバ２に備えるように構成することも可能である。
この場合、広告検索サーバ２は、各店舗のストアコントローラ３ごとにフィルタ情報を備え、広告ＩＤ画像を送信する際、当該店舗のフィルタ情報でフィルタリングした後、広告ＩＤ画像を送信する。
【００４０】
次に、広告検索サーバ２について説明する。広告検索サーバ２のハードウェア的な構成は、基本的に図４に示したハードウェア構成と同様である。
広告検索サーバ２の場合、プログラム格納部３８には、画像検索情報によって広告ＩＤ画像を検索するためのプログラムや、携帯電話５から送信されてきた撮影画像に対応するＵＲＬを検索するためのプログラムなどが格納されている。
【００４１】
一方、データ格納部３９には、広告ＩＤ画像を管理するための広告ＩＤ画像管理マスタ、検索条件を規定した検索条件マスタなどが記憶されている。
図６は、広告ＩＤ画像管理マスタの論理的な構成の一例を示した図である。
広告ＩＤ画像管理マスタは、「広告ＩＤ」、「ＩＤパターン」、「広告ＩＤ画像」、「属性情報」、「ＵＲＬ」などの各項目から構成されている。
【００４２】
「広告ＩＤ」には、広告を識別するための識別情報である広告ＩＤが格納されている。この広告ＩＤに対して、ＩＤパターン、広告ＩＤ画像、属性情報、広告ウェブサイトのＵＲＬ、及び広告コンテンツサーバ６の広告コンテンツが対応づけられている。
「ＩＤパターン」には、ＩＤパターンの画像が格納されている。
「広告ＩＤ画像」には、広告ＩＤ画像が格納されている。広告ＩＤ画像は、ストアコントローラ３への送信負荷を軽減するため圧縮されている。
「属性情報」には、広告ＩＤ画像に付随する属性情報が格納されている。属性情報には、広告主、広告期間、広告地域などがある。
「ＵＲＬ」には、広告ウェブサイトのＵＲＬが格納されている。
【００４３】
図７は、検索条件マスタの論理的な構成の一例を示した図である。
検索条件マスタは、「広告ＩＤ」、「条件区分」、「分類コード」、「商品コード」、「キーワード」、「オプション」などの各項目から構成されている。
「広告ＩＤ」は、広告を識別するための識別情報であり、広告ＩＤ画像管理マスタの広告ＩＤと対応している。
【００４４】
「条件区分」には、検索において、画像検索情報と照合する項目を指定する項目であり、キーワード、分類コード、商品コードのうちの何れかが設定されている。
広告検索サーバ２は、「条件区分」がキーワードの場合、画像検索情報に含まれているキーワードとの照合を行い、分類コードの場合は、画像検索情報に含まれている分類コードとの照合を行い、商品コードの場合は、画像検索情報に含まれている商品コードとの照合を行う。
【００４５】
「分類コード」には、「条件区分」が分類コードの場合に、画像検索情報に含まれる分類コードと照合するための分類コードが記憶されている。
「商品コード」には、「条件区分」が商品コードの場合に、画像検索情報に含まれる商品コードと照合するための商品コードが記憶されている。
「キーワード」には、「条件区分」がキーワードの場合に、画像検索情報に含まれるキーワードと照合するためのキーワードが記憶されている。
【００４６】
例えば、「広告ＩＤ」が０００１の広告は「条件区分」がキーワードであり、「キーワード」がパソコンであるため、画像検索情報にキーワードとしてパソコンが含まれている場合、０００１の広告が検索条件に一致する。
また、「広告ＩＤ」が０００２の広告は「条件区分」が分類コードであり、「分類コード」が（中分類）文具となっているため、画像検索情報に中分類として文具が含まれている場合、０００２の広告が検索条件と一致する。
更に、「広告ＩＤ」が０００３の広告は「条件区分」が商品コードであり、「商品コード」が１２３４５６７８となっているため、画像検索情報に当該商品コードが含まれている場合、０００３の広告が検索条件に一致する。
【００４７】
以上のように、本実施の形態では、商品コード、分類コード、キーワードの何れかを用いて広告の検索を行ったが、これに限定するものではなく、各種の変形が可能である。
例えば、これら３つの項目のうち、２つ、又は３つを組み合わせ、これら組み合わせた項目の論理積や論理和によって広告ＩＤ画像を検索するように構成することができる。
例えば、分類コードとキーワードの論理積によって広告ＩＤ画像を検索する場合、画像検索情報に分類コードとキーワードの両方が含まれている場合、当該広告が検索される。
また、分類コードとキーワードの論理和によって広告ＩＤ画像を検索する場合、画像検索情報に分類コードとキーワードのうち、少なくとも一方が含まれている場合、当該広告が検索される。
【００４８】
また、検索条件マスタに「オプション」項目を設けてより細かな検索を行うことも可能である。
図示しないが、例えば、「オプション」に、「エリア条件」、「対象年齢」、「温度条件」、「お天気条件」などの項目を設定しておく。
一方、ストアコントローラ３は、店舗のエリア、顧客の年齢層、店外気温、店舗所在地での天気などを画像検索情報に含めて広告検索サーバ２に送信する。
【００４９】
「エリア条件」には、例えば、全国、東京のみ、神奈川県除外など、エリアを指定する条件が設定されており、店舗の所在エリアと照合することが可能である。
例えば、「エリア条件」が神奈川県除外となっている広告の場合、画像検索情報を送信した店舗が神奈川県以外の県にある場合に当該広告が検索条件に一致する。
【００５０】
「対象年齢」には、例えば、２０代、１０−４０代、２０歳以上、６０歳以下、６０歳以上など、顧客の年齢層が指定されている。
例えば、「対象年齢」が２０代となっている広告の場合、画像検索情報に含まれる顧客の年齢層が２０代の場合に当該広告が検索条件に一致する。
「温度条件」には、例えば、２０度以下、３０度以上など、店外の気温が指定されている。
例えば、「温度条件」が２０度以下の場合、画像検索情報に含まれる店外の温度が２０度以下の場合に当該広告が検索条件に一致する。
「お天気条件」には、例えば、晴れ、雨、曇りなど、店舗所在地での天気が指定されている。
例えば、「お天気条件」が晴れの場合、画像検索情報に含まれる天気が晴れの場合に当該広告が検索条件に一致する。
【００５１】
次に、広告コンテンツサーバ６について説明する。広告コンテンツサーバ６のハードウェア的な構成は、基本的に図４に示したハードウェア構成と同様である。
広告コンテンツサーバ６の場合、プログラム格納部３８には、広告ウェブサイトを管理し、携帯電話５からのアクセスを受け付けて広告コンテンツを提供するためのプログラムなどが格納されている。
一方、データ格納部３９には、広告コンテンツが格納されており、各広告コンテンツには個別のＵＲＬと広告ＩＤが付与されている。
【００５２】
このように、広告コンテンツにＵＲＬが対応づけられているため、広告コンテンツサーバ６は、携帯電話５が広告ウェブサイトにアクセスした際のＵＲＬにより、提供する広告コンテンツを特定することができる。
また、広告ＩＤによって、広告コンテンツと広告検索サーバ２の広告ＩＤ画像が対応づけられているため、広告ＩＤを用いて、広告検索サーバ２と広告コンテンツサーバ６に広告ＩＤ画像と広告コンテンツの共有状況を確認する手段を設けるなどして、広告ＩＤ画像と広告コンテンツの共有管理を容易に行うことができる。
【００５３】
次に、携帯電話５について説明する。携帯電話５は、カメラ機能とインターネット接続機能を備えた携帯電話である。
図８に、携帯電話５の外観の一例を示した図である。
携帯電話５は、カメラ４７、表示部４２、操作キー４８、入力キー４４などを備えている。
【００５４】
また、図示しないが、携帯電話５の内部には、ＣＰＵ、ＲＯＭ、ＲＡＭなどから構成される情報処理部と、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）で構成され、各種プログラムやデータを記憶する読み書き可能な記憶媒体を内蔵している。
【００５５】
携帯電話５のＣＰＵは、ＲＯＭやその他の記憶媒体に記憶されたプログラムに従って各種の情報処理を行う。
ＲＡＭは、例えば、ＣＰＵがレシート４に印刷された広告ＩＤ画像を撮影して撮影画像（データ）を記憶したり、記憶した撮影画像を広告検索サーバ２に送信したり、広告検索サーバ２からＵＲＬを受信して広告コンテンツサーバ６に接続したりする際のワーキングメモリを提供する。
【００５６】
記憶媒体には、広告ＩＤ画像を撮影して広告コンテンツサーバ６に接続するためのアプリケーションを実現するためのアプリケーションプログラムが記憶されている。
ＣＰＵは、このアプリケーションプログラムを実行することにより、広告ＩＤ画像を撮影する機能、撮影画像を広告検索サーバ２に送信する機能、広告検索サーバ２からＵＲＬを受信して広告コンテンツサーバ６に接続する機能、広告コンテンツサーバ６の広告コンテンツを利用する機能などを実現することができる。
【００５７】
カメラ４７は、携帯電話５の背面（表示部４２と対向する面）に形成されており、レンズなどからなる光学系と、光学系により投影された被写体の画像をデジタルデータに変換するＣＣＤ（Ｃｈａｒｇｅ  Ｃｏｕｐｌｅｄ  Ｄｅｖｉｃｅ）を備えている。顧客が、カメラ４７でレシート４の広告ＩＤ画像を撮影すると、広告ＩＤ画像の撮影画像（データ）がＣＰＵにより生成される。
【００５８】
表示部４２は、例えば液晶ディスプレイなどにより構成されており、電話番号など、通話に関する情報を表示する他、インターネットを介してウェブサイトから送信されてきた各種の画面をブラウザによって表示することができる。
【００５９】
操作キー４８は、例えば、表示部４２に表示されたアイコンを選択したり、あるいはリンクを選択したりなど、表示部４２に表示された画面で顧客が各種の画面操作を行うためのキーである。
入力キー４４は、数字、文字、記号などを携帯電話５に入力するためのキーである。
【００６０】
次に、図９を用いて携帯電話５の表示部４２に表示される広告ウェブサイトの画面について説明する。
図９（ａ）は、携帯電話５でアプリケーションを起動した際に表示部４２に表示される画面の一例を示している。
図９（ａ）の例では、表示部４２に「広告ＩＤ画像を撮影してください」などと、顧客に広告ＩＤ画像の撮影を促す表示がなされている。
顧客は、この指示に従って、広告ＩＤ画像をカメラ４７で撮影する。
【００６１】
図９（ｂ）は、携帯電話５を広告コンテンツサーバ６で運営されるウェブサイトに接続した際に表示部４２に表示される画面の一例（製薬会社の場合）を示している。
顧客が広告ＩＤ画像を撮影すると自動的に図９（ｂ）の画面が表示部４２に表示される。この間、携帯電話５は、広告検索サーバ２に撮影画像の送信し、これによって広告検索サーバ２から送られてきたＵＲＬを用いて広告コンテンツサーバ６に接続し、更に広告コンテンツサーバ６から送信されてきたトップ画面をブラウザが解釈して表示するという一連の処理を行っている。
【００６２】
このトップ画面では、例えば、図９（ｂ）に示したように、「頭痛豆知識」と表示されたボタン５０や、「頭痛薬案内」と表示されたボタン５１など、広告ウェブサイトが提供する画面が表示されている。
顧客は、操作キー４８や入力キー４４（図８）を操作してこれらのボタンから所望のものを選択し、広告ウェブサイトが提供する広告コンテンツを利用することができる。
例えば、図９（ｂ）の例では、ボタン５０を選択すると、頭痛の原因やメカニズムなどに関する豆知識が表示部４２に表示される。
更に、ボタン５１を選択すると、表示部４２にて広告主が提供する頭痛薬の紹介がなされる。
【００６３】
次に、図１０のフローチャートを用いてレシートが印刷されるまでの手順について説明する。
まず、会計担当者は、顧客が購入する商品のバーコードをキャッシュレジスタ７で読み取ってキャッシュレジスタ７に入力する。
すると、キャッシュレジスタ７は、これらの情報を内容とする会計情報を生成し、ストアコントローラ３に送信する（ステップ５）。
【００６４】
ストアコントローラ３は、会計情報を受信し、バーコード情報を商品コードマスタで照合して商品コードを特定する。
そして、ストアコントローラ３は、当該商品に設定されるキーワードと分類コードを商品コードマスタから検索し、商品コード、キーワード、分類コードを含む画像検索情報を生成して広告検索サーバ２に送信する（ステップ１０）。
ここで、画像検索情報に、店舗の所在エリア、顧客の年齢層、店外温度、天気などを含めるように構成することもできる。
【００６５】
広告検索サーバ２は、ストアコントローラ３から画像検索情報を受信すると、これを検索条件マスタと照合して、条件に適合する広告を検索する（ステップ１５）。
広告検索サーバ２は、検索された広告が４つ以上ある場合、これらを３つに絞り込む。絞り込みは、検索された広告を適当な方法によって重みづけして順位づけし、上位３つを選択することにより行う。
重みづけは、公知の方法を用いることができるが、例えば、広告料の多い広告主の広告を優先的に上位になるようにすることができる。
広告を特定すると、広告検索サーバ２は、当該広告の広告ＩＤ画像を広告ＩＤ画像管理マスタから読み出してストアコントローラ３に送信する（ステップ２０）。
【００６６】
ストアコントローラ３は、広告検索サーバ２から広告ＩＤ画像を受信する（ステップ２５）。
次に、ストアコントローラ３は、フィルタ情報を用いて受信した広告ＩＤ画像をフィルタリングし（ステップ３０）、フィルタリング後の広告ＩＤ画像をキャッシュレジスタ７に送信する（ステップ３５）。
キャッシュレジスタ７は、ストアコントローラ３が広告ＩＤ画像を受信し、これを決済内容などと共にレシート４に印刷する（ステップ４０）。
【００６７】
次に、図１１のフローチャートを用いて、携帯電話５を広告コンテンツサーバ６に接続する手順について説明する。
まず、顧客は、携帯電話５のアプリケーションを起動し、アプリケーションの指示に従って携帯電話５でレシート４の広告ＩＤ画像を撮影する。
【００６８】
レシート４には、広告ＩＤ画像が３つ印刷されているため、顧客は所望の広告ＩＤ画像が撮影画面の中心になるように携帯電話５を設定して広告ＩＤ画像を撮影する。アプリケーションは、撮影画面中央の広告ＩＤ画像を他の広告ＩＤ画像から識別して抽出するようになっている。
このようにして、携帯電話５は、広告ＩＤ画像の撮影画像を取得する（ステップ５０）。
【００６９】
携帯電話５は、広告ＩＤ画像の撮影画像を取得すると、これを広告検索サーバ２に送信する（ステップ５５）。
広告検索サーバ２は、携帯電話５から撮影画像を受信してＲＡＭなどに一時記憶する（ステップ６０）。
広告検索サーバ２は、一時記憶した撮影画像をフーリエ変換し、ＩＤパターンを復元する（ステップ６５）。
【００７０】
広告検索サーバ２は、復元したＩＤパターンを広告ＩＤ画像管理マスタに登録されているＩＤパターンと照合し、広告ＩＤを特定する（ステップ７０）。
そして、広告検索サーバ２は、当該広告ＩＤのＵＲＬを広告ＩＤ画像管理マスタから読み取って携帯電話５に送信する（ステップ７５）。
携帯電話５は、広告検索サーバ２からＵＲＬを受信し（ステップ８０）、当該ＵＲＬを用いて広告コンテンツサーバ６に接続する（ステップ８５）。
広告コンテンツサーバ６は、携帯電話５からのアクセスを受け付け、携帯電話５がアクセスに用いたＵＲＬから広告ウェブサイトを特定する。
そして、広告コンテンツサーバ６は、当該広告ウェブサイト上で、広告コンテンツによるサービスを携帯電話５に提供する（ステップ９０）。
【００７１】
以上、本実施の形態について説明したが、各種の変形例が可能である。
例えば、本実施の形態では、ＩＤパターンの復元は広告検索サーバ２で行うが、この処理を携帯電話５で行い、復元したＩＤパターンを携帯電話５から広告検索サーバ２に送信するように構成することもできる。
この場合、携帯電話５のアプリケーションは、撮影画像データをフーリエ変換してＩＤパターンを復元する機能を備えている。
【００７２】
また、広告検索サーバ２が検索した広告を重みづけする場合、商品評価ウェブサイトなど、ネットワーク上での商品情報を用いるように構成することもできる。
近年、一般顧客が、商品を評価したり順位づけたりするウェブサイトが利用されるようになってきた。
これらウェブサイトでの商品情報を用いることにより、顧客側が設定したキーワードや順位に基づいて広告を重みづけすることができる。
【００７３】
本実施の形態では、広告ＩＤ画像により、レシート４に広告ウェブサイトのＵＲＬを埋め込んだが、これに限定せず、例えば、電子透かし、２次元バーコードなどによってレシート４に広告ウェブサイトのＵＲＬを埋め込んでもよい。
この場合、ＵＲＬを電子透かし、２次元バーコードに直接埋め込むことにより、携帯電話５は、広告検索サーバ２にＵＲＬの問い合わせを行わずに広告コンテンツサーバ６に直接接続することができる。
【００７４】
また、レシート４には、広告ＩＤ画像の表示スペースが３つ確保されているが、上から「商品コード」によって検索された広告ＩＤ画像、「分類コード」によって検索された広告ＩＤ画像、「キーワード」によって検索された広告ＩＤ画像といったように、表示スペースに属性を付与し、当該属性に基づいた広告ＩＤ画像の印刷を行うことも可能である。
【００７５】
店舗が会員制度を設けている場合、会員情報に基づいて広告ＩＤ画像を提供するように構成することもできる。
この場合、例えば、顧客の個人情報（性別、生年月日、年齢、職業、趣味、購買履歴）から、顧客に適した広告ＩＤ画像を選択してレシート４に印刷するように構成することができる。
例えば、音楽好きの顧客に対しては、売れ筋ランキング情報コンテンツを提供し、投資好きの顧客に対しては株価情報コンテンツを提供することができる。
また、例えば、顧客の生年月日に基づいて占いコンテンツを提供したり、性別、年齢などによってセグメント化されたコンテンツを提供することもできる。
【００７６】
以上に述べた本実施の形態おいて、ストアコントローラ３は、店舗端末を構成しており、画像検索情報は、購買商品に関する商品コード、分類コード、キーワードなどの情報を含む商品情報を構成している。
このため、広告検索サーバ２は、店舗端末（ストアコントローラ３）から、当該店舗で決済した商品の商品情報（画像検索情報）を受信する商品情報受信手段を備えている。
そして、広告検索サーバ２は、周波数領域にてＩＤ情報を規定したＩＤ画像である広告ＩＤ画像を広告ＩＤ画像管理マスタで記憶しており、広告ＩＤ画像管理マスタはＩＤ画像記憶手段として機能している。
また、画像検索情報と検索条件マスタを照合して広告ＩＤが特定でき、当該広告ＩＤを広告ＩＤ画像管理マスタと照合すると広告ＩＤ画像が特定できる。
このため、検索条件マスタと広告ＩＤ画像管理マスタは、商品情報とＩＤ画像の対応関係を記憶した対応記憶手段として機能している。
そして、広告検索サーバ２は、前記記憶した対応関係を用いて、前記受信した商品情報に対応するＩＤ画像を前記記憶したＩＤ画像から検索するＩＤ画像検索手段と、前記検索したＩＤ画像を前記店舗端末（ストアコントローラ３）に送信するＩＤ画像送信手段と、を備えている。
【００７７】
そして、このＩＤ画像（広告ＩＤ画像）の一部の領域（ＩＤ画像が５０％以上残っていればＩＤパターンが復元可能）には広告などの表記情報を配置可能であり、また、広告検索サーバ２はストアコントローラ３に複数の広告ＩＤ画像を送信することができる。
前記ＩＤ画像には、前記店舗端末（ストアコントローラ３）が当該ＩＤ情報を印刷するか否かを判断するための属性情報（広告主など）が付随している。
この際に、前記店舗端末（ストアコントローラ３）で印刷するか否かを判断するためのＩＤ画像の属性情報を登録したリスト（フィルタ情報）を記憶する属性リスト記憶手段を具備し、前記ＩＤ画像送信手段は、前記検索したＩＤ画像のうち、前記属性リストを用いて印刷すると判断したものを送信するようにすることもできる。
また、前記ＩＤ画像は、周波数領域にて規定されたＩＤパターンを逆フーリエ変換して得られた画像とすることができる。
【００７８】
一方、ストアコントローラ３は、店舗で決済した商品の商品情報（画像検索情報）をＩＤ画像提供装置（広告検索サーバ２）に送信する商品情報送信手段と、前記送信した商品情報に対するＩＤ画像を前記ＩＤ画像提供装置から受信するＩＤ画像受信手段と、前記受信したＩＤ画像を印刷媒体（レシート４）に印刷する印刷手段と、を具備したことを特徴とする店舗端末として機能している。
また、前記ＩＤ画像受信手段で複数個のＩＤ画像を受信した場合、前記印刷手段は、前記受信したＩＤ画像のそれぞれを前記印刷媒体の別領域（例えば、広告ＩＤ画像２０ａ〜２０ｃの印刷箇所）に印刷するように構成することもできる。
更に、前記受信したＩＤ画像には、前記印刷手段で印刷するか否かを判断するための（広告主などの）属性情報が付随しており、ストアコントローラ３は、前記属性情報を（フィルタ情報と照合するなどして）用いて前記ＩＤ画像を印刷するか否かを判断する判断手段を具備し、前記印刷手段は、前記判断手段で印刷すると判断された場合に前記ＩＤ画像を印刷する。
【００７９】
更に、広告検索サーバ２は、ＩＤ情報（ＩＤパターン）と所定のウェブサイト（広告ウェブサイト）への接続情報（ＵＲＬ）を対応づけた接続情報記憶手段（広告ＩＤ画像管理マスタ）と、ユーザ端末（携帯電話５）からＩＤ情報を（撮影画像に埋め込まれたＩＤパターンによって）取得するＩＤ情報取得手段と、前記接続情報記憶手段で、前記取得したＩＤ情報に対応づけられた接続情報を検索する接続情報検索手段と、前記検索した接続情報を前記ユーザ端末に送信する接続情報送信手段と、を具備している。
ここで、広告検索サーバ２は、（撮影画像によって）ＩＤ画像を受信するＩＤ画像受信手段と、前記受信したＩＤ画像を（フーリエ変換により）周波数領域に変換する変換手段と、を具備し、前記ＩＤ情報取得手段は、前記変換したＩＤ画像からＩＤ情報（ＩＤパターン）を取得することができる。
【００８０】
本実施の形態によると、次のような効果を得ることができる。
（１）商品に応じた広告を提供することができる。
商品の商品コード、分類コード、キーワードの各側面から当該商品に関連して広告を提供することができる。
（２）検索された広告ＩＤ画像をフィルタリングすることができる。
広告検索サーバ２は、各店舗に区別なく広告ＩＤ画像を送信するが、各店舗では固有の事情に応じて送信された広告ＩＤ画像を取捨選択することができる。
【００８１】
（３）リアルタイム性を有する広告を提供することができる。
例えば、購買商品に関するキャンペーン情報を提供したり、購買商品の特性から他商品を推薦したり（野菜を購入した顧客にカレーの広告を提供するなど）、購買履歴・購買特性に基づいた広告を提供することができる。
（４）状況に応じた広告を提供することができる。
例えば、晴れで店外気温が高い場合はアイスクリームを広告したりなど、地域の気象条件や購買の時間帯などに応じた広告を提供することができる。
【００８２】
また、在庫状況に応じて、在庫品処分のための特売情報を提供することもできる。
（５）エリア（地域）に応じた広告を提供することができる。
例えば、地域の天気予報コンテンツ、近隣店舗のクーポン情報・チラシ情報、地域のイベント情報・犯罪情報などを提供することができる。
（６）顧客の個人属性に応じた広告を提供することができる。
例えば、野球好きの顧客には野球情報を提供することができる。
【００８３】
なお、この他にも、顧客に対して今すぐ欲しい広告情報を提供したり、選択された広告情報を顧客に個別で手渡したり、携帯端末を用いて顧客の嗜好にあう広告表現方法用いて広告情報を提供したり、広告主は広告情報を効率よく提供することができて販売促進を図ることができる。
【図面の簡単な説明】
【００８４】
【図１】広告ウェブサイトのＵＲＬと広告ＩＤ画像の対応関係について説明するための図である。
【図２】レシートの外観の一例を示した図である。
【図３】広告提供システムのシステム構成を示したブロック図である。
【図４】ストアコントローラのハードウェア的な構成の一例を示した図である。
【図５】商品コードマスタと商品分類コードマスタを説明するための図である。
【図６】広告ＩＤ画像管理マスタの論理的な構成の一例を示した図である。
【図７】検索条件マスタを説明するための図である。
【図８】携帯電話の外観の一例を示した図である。
【図９】広告ウェブサイトの画面を説明するための図である。
【図１０】レシートが印刷されるまでの手順を説明するためのフローチャートである。
【図１１】携帯電話を広告コンテンツサーバに接続する手順について説明するためのフローチャートである。
【符号の説明】
【００８５】
１  広告提供システム
２  広告検索サーバ
３  ストアコントローラ
４  レシート
５  携帯電話
６  広告コンテンツサーバ
７  キャッシュレジスタ
【図１】
2008059512.tif 000003
【図２】
2008059512.tif 000004
【図３】
2008059512.tif 000005
【図４】
2008059512.tif 000006
【図５】
2008059512.tif 000007
【図６】
2008059512.tif 000008
【図７】
2008059512.tif 000009
【図８】
2008059512.tif 000010
【図９】
2008059512.tif 000011
【図１０】
2008059512.tif 000012
【図１１】
2008059512.tif 000013